(57)【特許請求の範囲】
【請求項１】
原稿積載台に積載される原稿を原稿搬送路に搬送し、前記原稿に形成された画像を読み取る画像読取装置であって、
前記原稿積載台に積載される原稿を前記原稿搬送路に送り出す原稿送出部と、
前記原稿送出部により前記原稿が送り出される際、当該原稿の重送を検知する重送検知部と、
前記重送検知部よりも原稿搬送方向の上流側に配置され、前記原稿送出部により前記原稿が送り出される際、異常音の発生を検知する異常音検知部と、
前記異常音検知部よりも原稿搬送方向の上流側に配置され、前記原稿送出部により前記原稿が送り出される際、原稿搬送方向と逆方向に向けて超音波または赤外を送信して当該原稿の跳ね上げを検知する跳ね上げ検知部と、
前記跳ね上げ検知部による検知結果および前記異常音検知部による検知結果および前記重送検知部による検知結果に基づいて、前記原稿にステープル処理が施されているか否かについて判定するステープル判定部と、
を備える画像読取装置。
【請求項２】
前記ステープル判定部により前記ステープル処理が施されていると判定された場合、前記原稿の搬送動作を停止する制御を行う搬送制御部を備える、
請求項１に記載の画像読取装置。
【請求項３】
前記原稿送出部により前記原稿が送り出される際、当該原稿の傾きを検知する傾き検知部を備え、
前記ステープル判定部は、前記跳ね上げ検知部、前記異常音検知部、前記重送検知部および前記傾き検知部の検知結果に基づいて、前記原稿にステープル処理が施されているか否かについて判定する、
請求項１〜２の何れか１項に記載の画像読取装置。
【請求項４】
前記重送検知部は、原稿搬送方向における前記原稿送出部の下流側に配置されている、
請求項１〜３の何れか１項に記載の画像読取装置。
【請求項５】
原稿搬送方向における前記跳ね上げ検知部、前記異常音検知部および前記重送検知部の下流側に配置され、前記原稿に形成された画像を読み取る画像読取部を備える、
請求項１〜４の何れか１項に記載の画像読取装置。
【請求項６】
原稿積載台に積載される原稿が原稿搬送路に送り出される際、当該原稿の重送を検知する重送検知部の検知結果を取得し、
前記原稿が送り出される際、前記重送検知部よりも原稿搬送方向の上流側で、異常音の発生を検知する異常音検知部の検知結果を取得し、
前記原稿が送り出される際、前記異常音検知部よりも原稿搬送方向の上流側で、原稿搬送方向と逆方向に向けて超音波または赤外を送信して当該原稿の跳ね上げを検知する跳ね上げ検知部の検知結果を取得し、
前記跳ね上げ検知部による検知結果および前記異常音検知部による検知結果および前記重送検知部による検知結果に基づいて、前記原稿にステープル処理が施されているか否かについて判定するステープル判定方法。
【請求項７】
コンピューターに、
原稿積載台に積載される原稿が原稿搬送路に送り出される際、当該原稿の重送を検知する重送検知部の検知結果を取得する処理と、
前記原稿が送り出される際、前記重送検知部よりも原稿搬送方向の上流側で、異常音の発生を検知する異常音検知部の検知結果を取得する処理と、
前記原稿が送り出される際、前記異常音検知部よりも原稿搬送方向の上流側で、原稿搬送方向と逆方向に向けて超音波または赤外を送信して当該原稿の跳ね上げを検知する跳ね上げ検知部の検知結果を取得する処理と、
前記跳ね上げ検知部による検知結果および前記異常音検知部による検知結果および前記重送検知部による検知結果に基づいて、前記原稿にステープル処理が施されているか否かについて判定する処理と、
を実行させるステープル判定プログラム。
【発明の詳細な説明】
【技術分野】
【０００１】
本発明は、画像読取装置、ステープル判定方法およびステープル判定プログラムに関する。
【背景技術】
【０００２】
従来、原稿積載台（給紙トレイ）に積載される原稿を１枚ずつ原稿搬送路に搬送し、原稿搬送路中に配置される画像読取部で原稿に形成された画像を読み取った後に原稿排出部（排紙トレイ）に排出する画像読取装置が知られている。
【０００３】
このような画像読取装置の原稿積載台上に積載される原稿には、ステープル等の綴じ処理（ステープル処理）を施されているものがある。そして、このような綴じられた原稿の束（原稿束）を原稿搬送路によって搬送させようとした場合、原稿そのものが破れてしまったり、原稿搬送路上に配置されている搬送ローラーや画像読取部の破損につながったりしてしまうという問題がある。
【０００４】
そこで上記問題に対して、原稿積載台上に積載される原稿に施されているステープルを検知するステープル検知手段（例えば、磁気センサ）を設け、原稿にステープル処理が施されているか否かを判定する技術が提案されている（例えば、特許文献１を参照）。
【先行技術文献】
【特許文献】
【０００５】
【特許文献１】特開平１０−２３９９２０号公報
【発明の概要】
【発明が解決しようとする課題】
【０００６】
しかしながら、原稿において、ステープル処理の施されている箇所は様々であり、ステープル検知手段の配設位置に必ずステープルが施されているとは限らない。つまり、ステープル処理の施されている原稿であっても、ステープル処理を検知可能な位置にステープル検知手段が配設されていなければ、原稿に対するステープル処理の有無を判定することはできない。したがって、従来のステープル検知手段によるステープル処理の判定精度は低いという問題があった。
【０００７】
本発明の目的は、ステープル処理の有無を精度良く判定することが可能な画像読取装置、ステープル判定方法およびステープル判定検知プログラムを提供することである。
【課題を解決するための手段】
【０００８】
本発明に係る画像読取装置は、
原稿積載台に積載される原稿を原稿搬送路に搬送し、前記原稿に形成された画像を読み取る画像読取装置であって、
前記原稿積載台に積載される原稿を前記原稿搬送路に送り出す原稿送出部と、
前記原稿送出部により前記原稿が送り出される際、当該原稿の重送を検知する重送検知部と、
前記重送検知部よりも原稿搬送方向の上流側に配置され、前記原稿送出部により前記原稿が送り出される際、異常音の発生を検知する異常音検知部と、
前記異常音検知部よりも原稿搬送方向の上流側に配置され、前記原稿送出部により前記原稿が送り出される際、原稿搬送方向と逆方向に向けて超音波または赤外を送信して当該原稿の跳ね上げを検知する跳ね上げ検知部と、
前記跳ね上げ検知部による検知結果および前記異常音検知部による検知結果および前記重送検知部による検知結果に基づいて、前記原稿にステープル処理が施されているか否かについて判定するステープル判定部と、
を備える。
【０００９】
本発明に係るステープル判定方法は、
原稿積載台に積載される原稿が原稿搬送路に送り出される際、当該原稿の重送を検知する重送検知部の検知結果を取得し、
前記原稿が送り出される際、前記重送検知部よりも原稿搬送方向の上流側で、異常音の発生を検知する異常音検知部の検知結果を取得し、
前記原稿が送り出される際、前記異常音検知部よりも原稿搬送方向の上流側で、原稿搬送方向と逆方向に向けて超音波または赤外を送信して当該原稿の跳ね上げを検知する跳ね上げ検知部の検知結果を取得し、
前記跳ね上げ検知部による検知結果および前記異常音検知部による検知結果および前記重送検知部による検知結果に基づいて、前記原稿にステープル処理が施されているか否かについて判定する。
【００１０】
本発明に係るステープル判定プログラムは、
コンピューターに、
原稿積載台に積載される原稿が原稿搬送路に送り出される際、当該原稿の重送を検知する重送検知部の検知結果を取得する処理と、
前記原稿が送り出される際、前記重送検知部よりも原稿搬送方向の上流側で、異常音の発生を検知する異常音検知部の検知結果を取得する処理と、
前記原稿が送り出される際、前記異常音検知部よりも原稿搬送方向の上流側で、原稿搬送方向と逆方向に向けて超音波または赤外を送信して当該原稿の跳ね上げを検知する跳ね上げ検知部の検知結果を取得する処理と、
前記跳ね上げ検知部による検知結果および前記異常音検知部による検知結果および前記重送検知部による検知結果に基づいて、前記原稿にステープル処理が施されているか否かについて判定する処理と、
を実行させる。
【発明の効果】
【００１１】
本発明によれば、ステープル処理の有無を精度良く判定することができる。
【図面の簡単な説明】
【００１２】
【図１】本実施の形態における画像読取装置の全体斜視図である。
【図２】本実施の形態における画像読取装置の機能構成を示すブロック図である。
【図３】本実施の形態における画像読取装置の側方断面図である。
【図４】本実施の形態における画像読取装置の上方断面図である。
【図５】原稿においてステープル処理が施される位置を説明する図である。
【図６】原稿の跳ね上げを検知する様子を示す図である。
【図７】異常音の発生を検知する様子を示す図である。
【図８】原稿の重送を検知する様子を示す図である。
【図９】原稿に付されている金属を検知する様子を示す図である。
【図１０】ステープル処理が施される位置に対する各検知部の検知可否を示す図である。
【図１１】ステープル処理が施される位置に対する各検知部の検知可否を示す図である。
【図１２】本実施の形態における画像読取装置のステープル判定動作を示すフローチャートである。
【図１３】ステープル処理が施される位置に対する各検知部の検知可否を示す図である。
【図１４】ステープル処理が施される位置に対する各検知部の検知可否を示す図である。
【図１５】本実施の形態における画像読取装置のステープル判定動作を示すフローチャートである。
【図１６】ステープル処理が施される位置に対する各検知部の検知可否を示す図である。
【図１７】本実施の形態における画像読取装置のステープル判定動作を示すフローチャートである。
【発明を実施するための形態】
【００１３】
以下、本実施の形態を図面に基づいて詳細に説明する。図１は、本実施の形態における画像読取装置１を装置正面側かつ上方から見たときの全体斜視図である。図２は、画像読取装置１の機能構成を示すブロック図である。図３は、画像読取装置１の側方断面図である。図４は、画像読取装置１の上方断面図である。
【００１４】
画像読取装置１は、ドキュメントスキャナであり、原稿積載台１２０に積載される原稿を１枚ずつ原稿搬送路６８に搬送（給紙）し、原稿搬送路６８上に配置される画像読取部３０で原稿に形成された画像を読み取った後に原稿排出部１３０に排出（排紙）する。なお、画像読取装置１は、電子写真方式の画像形成装置に適用されても良い。
【００１５】
図２に示すように、画像読取装置１は、コントロールユニット１０、操作表示部２０、画像読取部３０、補助記憶部４０、ネットワーク接続部５０、搬送部６０、跳ね上げ検知部７０、異常音検知部８０、金属検知部９０、重送検知部１００および傾き検知部１１０を備える。
【００１６】
コントロールユニット１０は、ＣＰＵ（Central  Processing  Unit）１２、制御プログラム（本発明の「ステープル判定プログラム」に対応）を格納したＲＯＭ（Read  Only  Memory）１４、ＲＡＭ（Random  Access  Memory）１６等の作業用メモリを備える。ＣＰＵ１２は、ＲＯＭ１４から制御プログラムを読み出してＲＡＭ１６に展開し、展開した制御プログラムと協働して画像読取装置１の各ブロック等の動作を集中制御する。このとき、補助記憶部４０に格納されている各種データが参照される。補助記憶部４０は、例えば不揮発性の半導体メモリ（いわゆるフラッシュメモリ）やハードディスクドライブで構成される。なお、コントロールユニット１０は、本発明の「ステープル判定部」および「搬送制御部」として機能する。
【００１７】
コントロールユニット１０は、ネットワーク接続部５０を介して、ＬＡＮ（Local Area Network）、ＷＡＮ（Wide Area Network）等の通信ネットワークに接続された外部の装置（例えばパーソナルコンピューター）との間で各種データの送受信を行う。コントロールユニット１０は、画像読取部３０で読み取られた画像を外部装置（例えば、パーソナルコンピューター）に送信する。ネットワーク接続部５０は、例えばＬＡＮカード等の通信制御カードで構成される。
【００１８】
画像読取部３０は、原稿搬送路６８を搬送される原稿に形成された画像を光学的に読み取り、光電変換して画像データとしてコントロールユニット１０に出力する。具体的には、画像読取部３０は、露光ランプからの光を原稿に照射し、結像レンズを介して、その反射光をＣＣＤ（Charge Coupled Device）などの固体撮像素子の受光面で受光して光電変換する。本実施の形態では、画像読取部３０は、原稿の両面（表面および裏面）に形成された画像を一括的に読み取ることが可能である。
【００１９】
操作表示部２０は、操作情報入力部２２および情報表示部２４として機能する。操作情報入力部２２は、テンキー、スタートキー等の各種操作キーを備え、ユーザーによる各種の入力操作を受け付けて、操作信号をコントロールユニット１０に出力する。情報表示部２４は、コントロールユニット１０から入力される表示制御信号に従って、各種の操作画面、各機能の動作状況等の表示を行う。
【００２０】
搬送部６０は、原稿搬送路６８、原稿積載台１２０および原稿排出部１３０等を備える。搬送部６０は、原稿搬送路６８上で原稿を搬送する複数の搬送ローラー対を有する。原稿積載台１２０および原稿排出部１３０は、積載される原稿の枚数に応じて昇降可能に構成されている。
【００２１】
図３，４に示すように、原稿搬送路６８上には、原稿搬送方向の上流側から、給紙ローラー６１、金属検知部９０、分離およびリタードローラー６２，６３、異常音検知部８０、傾き検出部１１０、重送検知部１００、第１搬送ローラー対６４、第２搬送ローラー対６５、画像読取部３０および第３搬送ローラー対６６が配置されている。
【００２２】
原稿積載台１２０に積載されている原稿は、給紙ローラー６１によって分離ローラー６２とリタードローラー６３との間に引き込まれる。分離ローラー６２とリタードローラー６３との間に引き込まれた原稿は、一枚ずつ分離して送り出され、第１搬送ローラー対６４に搬送される。さらに、原稿は、第１および第２搬送ローラー対６４，６５によって一定速度で画像読取部３０に搬送される。画像読取部３０においては、原稿の表面および裏面に形成された画像が読み取られる。その後、原稿は、第３搬送ローラー対６６、排紙ローラー対等により原稿排出部１３０に排出される。なお、分離ローラー６２およびリタードローラー６３は、本発明の「原稿送出部」として機能する。
【００２３】
ところで、画像読取装置１の原稿積載台１２０上に積載される原稿には、ステープル処理を施されているものがある。ステープル処理とは、一般的に、金属製または非金属製の綴じ針（ステープル針）を綴じ対象の複数枚の原稿に打ち込んで、当該ステープル針自体で複数枚の原稿を綴じる処理である。本実施の形態では、ステープル処理には、綴じ対象の複数枚の原稿にステープル針を打ち込むことなく、複数枚の原稿を圧着して綴じる処理も含まれる。そして、このような綴じられた原稿の束（原稿束）を原稿搬送路６８によって搬送させようとした場合、原稿そのものが破れてしまったり、原稿搬送路６８上に配置されている搬送ローラー対６４，６５，６６や画像読取部３０の破損につながったりしてしまうという問題がある。
【００２４】
そこで本実施の形態では、画像読取装置１は、原稿積載台１２０上に積載される原稿に施されているステープル処理を検知するステープル処理検知手段として、跳ね上げ検知部７０、異常音検知部８０、金属検知部９０、重送検知部１００および傾き検知部１１０を備えている。そして、コントロールユニット１０は、跳ね上げ検知部７０、異常音検知部８０、金属検知部９０、重送検知部１００および傾き検知部１１０の検知結果に基づいて、原稿にステープル処理が施されているか否かについて判定する。コントロールユニット１０は、原稿にステープル処理が施されていると判定した場合、原稿の搬送動作を停止するように搬送部６０を制御する。
【００２５】
図５は、原稿Ｐにおいてステープル処理が施される位置の例を説明する図である。図５に示すように、原稿Ｐにおいてステープル処理が施される位置としては、原稿搬送方向における原稿Ｐの先端部のＳ１〜Ｓ３、中央部のＳ４〜Ｓ６および後端部のＳ７〜Ｓ９が挙げられる。
【００２６】
次に、跳ね上げ検知部７０の構成について説明する。跳ね上げ検知部７０は、図３に示すように、給紙ローラー６１の上方に設けられた超音波センサーであり、分離ローラー６２およびリタードローラー６３により原稿Ｐが送り出される際、当該原稿Ｐの跳ね上げを検知する。
【００２７】
図６Ａは、原稿積載台１２０に積載されている複数の原稿Ｐが、給紙ローラー６１によって分離ローラー６２とリタードローラー６３との間に引き込まれる前の様子を示している。図６Ａに示す例では、原稿搬送方向における原稿Ｐの後端部の位置Ｓ８に、ステープル処理が施されている。
【００２８】
図６Ｂは、分離ローラー６２とリタードローラー６３との間に引き込まれた原稿Ｐが、一枚ずつ分離して送り出される際の様子を示している。この場合、１枚目の原稿Ｐが分離ローラー６２によって給紙される一方、２枚目以降の原稿Ｐは、リタードローラー６３によって給紙が阻止される。その結果、１枚目の原稿Ｐは、跳ね上がる（浮き上がる）。跳ね上げ検知部７０は、原稿搬送方向と逆方向に向けて超音波パルスを定常的に送信しており、１枚目の原稿Ｐが例えば所定高さ以上に跳ね上がった場合、当該原稿Ｐで反射された反射波を受信し、この受信した反射波から原稿Ｐの跳ね上げを検知し、その旨をコントロールユニット１０に出力する。すなわち、跳ね上げ検知部７０は、原稿Ｐにステープル処理が施されていることを間接的に検知する。
【００２９】
原稿搬送方向における原稿Ｐの中央部の位置Ｓ４〜Ｓ６および後端部の位置Ｓ７〜Ｓ９にステープル処理が施されていれば、１枚目の原稿Ｐは跳ね上がるため、当該跳ね上がりを跳ね上げ検知部７０で検知することができる。なお、跳ね上げ検知部７０は、超音波センサーに限らず、赤外フォトセンサーや、原稿Ｐが跳ね上がった場合に当該原稿Ｐと接触可能な位置に設けられたタッチセンサーであっても良い。
【００３０】
次に、異常音検知部８０の構成について説明する。異常音検知部８０は、分離ローラー６２およびリタードローラー６３により原稿Ｐが送り出される際、異常音の発生を検知する。具体的には、異常音検知部８０は、異常音検知部８０の周囲で発生する音を常時入力し、当該音信号の特定周波数領域における時系列変動を算出し、算出した時系列変動と、予め作成された異常音信号の特定周波数領域における時系列変動（プロファイル）とを照合することによって、当該音が異常音であるか否かを検知する。
【００３１】
図７Ａは、原稿積載台１２０に積載されている複数の原稿Ｐが、給紙ローラー６１によって分離ローラー６２とリタードローラー６３との間に引き込まれる様子を示している。図７Ａに示す例では、原稿搬送方向における原稿Ｐの先端部の位置Ｓ１に、ステープル処理が施されている。
【００３２】
図７Ｂは、分離ローラー６２とリタードローラー６３との間に引き込まれた原稿Ｐが、一枚ずつ分離して送り出される際の様子を示している。この場合、１枚目の原稿Ｐのみが、原稿Ｐの先端部の位置Ｓ１を回転支点として図７Ｂ中の反時計回り方向に回転する。その結果、１枚目の原稿Ｐに発生する紙折れや破れ、または１枚目の原稿Ｐと２枚目の原稿Ｐとの間の擦れに起因する異常音が発生する。異常音検知部８０は、発生した異常音を検知し、その旨をコントロールユニット１０に出力する。なお、原稿Ｐの先端部の位置Ｓ３にステープル処理が施されている場合、１枚目の原稿Ｐのみが、位置Ｓ３を回転支点として図７Ｂ中の時計回り方向に回転する。その結果、１枚目の原稿Ｐに発生する紙折れや破れ、または１枚目の原稿Ｐと２枚目の原稿Ｐとの間の擦れに起因する異常音が発生する。すなわち、原稿Ｐの先端部の位置Ｓ１またはＳ３にステープル処理が施されていれば、異常音が発生し、当該異常音を異常音検知部８０で検知することができる。以上のように、異常音検知部８０は、原稿Ｐにステープル処理が施されていることを間接的に検知する。
【００３３】
なお、異常音検知部８０と共に傾き検知部１１０を使用して、原稿Ｐの先端部の位置Ｓ１またはＳ３にステープル処理が施されていることをより精度良く検知しても良い。傾き検知部１１０は、分離ローラー６２およびリタードローラー６３により原稿Ｐが送り出される際、当該原稿Ｐの原稿搬送方向に対する傾き（例えば、所定角度以上の傾き）を検知する。傾き検知部１１０は、例えば、原稿搬送方向に直行する原稿幅方向に配置され、原稿Ｐの通過を検知する複数のセンサーを含んで構成されている。傾き検知部１１０は、搬送された原稿Ｐの通過が各センサーにより検知されたタイミングに基づいて原稿Ｐの傾きを検知する。傾き検知部１１０は、原稿Ｐの先端部の位置Ｓ１またはＳ３にステープル処理が施されている場合、分離ローラー６２とリタードローラー６３との間に引き込まれた原稿Ｐが回転したことを、異常音の発生を介してではなく直接的に検知する。
【００３４】
次に、重送検知部１００の構成について説明する。重送検知部１００は、原稿搬送方向における分離ローラー６２およびリタードローラー６３の下流側に配置されている例えば超音波センサーであり、分離ローラー６２およびリタードローラー６３により原稿Ｐが送り出される際、当該原稿Ｐの重送（複数枚の原稿Ｐが重なって搬送されている状態）を検知する。なお、重送検知部１００は、レーザーレーダーであっても良い。
【００３５】
図８Ａは、原稿積載台１２０に積載されている複数の原稿Ｐが、給紙ローラー６１によって分離ローラー６２とリタードローラー６３との間に引き込まれる様子を示している。図８Ａに示す例では、原稿搬送方向における原稿Ｐの先端部の位置Ｓ２に、ステープル処理が施されている。原稿Ｐの先端部の位置Ｓ１およびＳ３に、ステープル処理が施されていても良い。
【００３６】
図８Ｂは、分離ローラー６２とリタードローラー６３との間に引き込まれた複数の原稿Ｐが、分離されずに送り出される様子を示している。重送検知部１００は、原稿搬送路６８を介して対向する送信部および受信部を有し、送信部から定常的に送信された超音波パルスに対する受信部の受信強度に応じて、原稿Ｐが重送されているか否かを検知する。原稿Ｐが送信部と受信部との間に存在しない場合は、超音波パルスはほとんど減衰せず受信部に到達する（受信強度は最大）。１枚の原稿Ｐが存在する場合は、超音波パルスは原稿Ｐに吸収され、減衰した受信強度となる。ここで図８Ｂに示すような、複数枚の原稿Ｐがステープル処理を施されて存在する場合（すなわち、原稿Ｐが複数枚重なって搬送されている場合）、送信部から送信された超音波パルスはさらに大きく吸収されるとともに、原稿間内での複数回の反射を起こすことによって、振動エネルギーが大きく相殺され受信強度は著しく減衰する。以上のように、重送検知部１００は、送信部から送信された超音波パルスが受信部で受信された際、当該超音波パルスの信号強度が大きく減衰している場合、原稿Ｐにステープル処理が施されていることを間接的に検知する。なお、原稿Ｐが重送されているか否かを検知するための受信強度の閾値は、ユーザーが任意に設定できるようにしても良い。
【００３７】
なお、原稿Ｐの位置Ｓ１またはＳ３にステープル処理が施されている場合、複数の原稿Ｐのうち最上位１枚だけが分離ローラー６２およびリタードローラー６３を通過し、２枚目以降はリタードローラー６３で保持されるため、回転ズレに起因する原稿Ｐ（１枚目）の破損が発生する。この場合、重送検知部１００は、原稿Ｐにステープル処理が施されていることを検知することができない。また、原稿Ｐの位置Ｓ４、Ｓ６、Ｓ７またはＳ９にステープル処理が施されている場合、複数の原稿Ｐのうち最上位の１枚だけが分離ローラー６２およびリタードローラー６３を通過し、２枚目以降はリタードローラー６３で保持されるため、側部から跳ね上がって捲れることに起因する原稿Ｐ（１枚目）の破損が発生する。この場合も、重送検知部１００は、原稿Ｐにステープル処理が施されていることを検知することができない。また、原稿Ｐの位置Ｓ５またはＳ８にステープル処理が施されている場合、複数の原稿Ｐのうち最上位の１枚だけが分離ローラー６２およびリタードローラー６３を通過し、２枚目以降はリタードローラー６３で保持されるため、中央部から跳ね上がって捲れることに起因する原稿Ｐ（１枚目）の破損が発生する。この場合も、重送検知部１００は、原稿Ｐにステープル処理が施されていることを検知することができない。
すなわち、重送検知部１００は、原稿Ｐの位置Ｓ２、または、Ｓ１，Ｓ３の両方にステープル処理が施されている場合に、原稿Ｐにステープル処理が施されていることを検知することができる。
【００３８】
次に、金属検知部９０の構成について説明する。金属検知部９０は、図３に示すように、原稿搬送方向における分離ローラー６２およびリタードローラー６３の上流側に配置されており、分離ローラー６２およびリタードローラー６３により原稿Ｐが送り出される際、当該原稿Ｐに付されている金属（例えば、ステープル針）を検知する。金属検知部９０は、例えば電磁誘導を利用したものであり、検知コイルを金属が通過した際に生じる渦電流に伴う磁場を検知することによって当該金属を検知する。なお、金属検知部９０は、電磁誘導を利用せずに金属を検知しても良い。
【００３９】
図９Ａは、原稿積載台１２０に積載されている複数の原稿Ｐが、給紙ローラー６１によって分離ローラー６２とリタードローラー６３との間に引き込まれる前の様子を示している。図９Ａに示す例では、原稿搬送方向における原稿Ｐの先端部の位置Ｓ１，Ｓ３に、ステープル処理が施されて、ステープル針（金属）が付されている。
【００４０】
図９Ｂは、分離ローラー６２とリタードローラー６３との間に原稿Ｐが引き込まれる前に、原稿Ｐの先端部の位置Ｓ１，Ｓ３に付されているステープル針が金属検知部９０によって検知された様子を示している。この場合、原稿搬送方向における原稿Ｐの中央部や後端部にステープル針が付されている場合と比べて、複数の原稿Ｐが分離ローラー６２とリタードローラー６３との間に引き込まれる前に、原稿Ｐに金属が付されていること、ひいてはステープル処理が施されていることを早期かつ直接的に検知することができる。
【００４１】
図１０，１１は、原稿Ｐにおいてステープル処理が施された各位置Ｓ１〜Ｓ９と、各検知部（跳ね上げ検知部７０、金属検知部９０、異常音検知部８０および重送検知部１００）によるステープル処理の検知可否との関係を示す図である。図１０は、ステープル処理として、金属製のステープル針を綴じ対象の複数枚の原稿Ｐに打ち込んで、当該ステープル針自体で複数枚の原稿Ｐを綴じる処理が施された場合について示している。図１１は、ステープル処理として、非金属製のステープル針を綴じ対象の複数枚の原稿Ｐに打ち込んで、当該ステープル針自体で複数枚の原稿Ｐを綴じる処理、または、綴じ対象の複数枚の原稿Ｐにステープル針を打ち込むことなく、複数枚の原稿Ｐを圧着して綴じる処理が施された場合について示している。
【００４２】
図１０，１１において、「◎」は、ステープル処理が施された位置が分離ローラー６２およびリタードローラー６３を通過する前、すなわち早期にステープル処理を検知することが可能なことを示す。また、「○」は、ステープル処理が施された位置が分離ローラー６２およびリタードローラー６３を通過した後、画像読取部３０に到達する前にステープル処理を検知することが可能なことを示す。また、「×」は、各検知部（跳ね上げ検知部７０、金属検知部９０、異常音検知部８０および重送検知部１００）のみが設けられている場合において、当該各検知部によるステープル処理の検知可否に関係なく、原稿Ｐそのものが破れてしまったり、原稿搬送路６８上に配置されている搬送ローラー対６４〜６６や画像読取部３０の破損につながったりしてしまうことを示す。
【００４３】
例えば図１０，１１に示すように、ステープル処理が施された位置がＳ１〜Ｓ４である場合、跳ね上げ検知部７０によってステープル処理を検知することはできないが、金属検知部９０、異常音検知部８０および重送検知部１００の少なくとも１つによって、原稿Ｐの破れ、搬送ローラー対６４〜６６や画像読取部３０の破損を発生させずに、ステープル処理を検知することができる。よって、原稿Ｐにおいてステープル処理の施されている位置が様々であっても、原稿Ｐに対するステープル処理の有無を精度良く判定することができる。
【００４４】
図１２は、本実施の形態における画像読取装置１のステープル判定動作を示すフローチャートである。図１２におけるステップＳ１００の処理は、画像読取装置１の電源がオンにされ、原稿積載台１２０に原稿Ｐが積載されることにより開始する。
【００４５】
まず、コントロールユニット１０は、搬送部６０（給紙ローラー６１）を制御して、原稿積載台１２０に積載されている原稿Ｐの給紙動作を開始する（ステップＳ１００）。次に、コントロールユニット１０は、金属検知部９０の検知結果を取得し、原稿Ｐに金属が付されているか否か、ひいてはステープル処理が施されているか否かを判定する（ステップＳ１２０）。判定の結果、金属が付されている場合（ステップＳ１２０、ＹＥＳ）、コントロールユニット１０は、原稿Ｐの搬送を停止するように搬送部６０を制御する（ステップＳ２６０）。
【００４６】
次に、コントロールユニット１０は、情報表示部２４に対して異常情報、より具体的には原稿Ｐにステープル処理が施されている旨を示す情報を表示させる（ステップＳ２８０）。ステップＳ２８０の処理が完了することによって、画像読取装置１は、図１２における処理を終了する。
【００４７】
ステップＳ１２０の判定に戻り、金属が付されていない場合（ステップＳ１２０、ＮＯ）、コントロールユニット１０は、搬送部６０（分離ローラー６２、リタードローラー６３）を制御して、給紙ローラー６１によって分離ローラー６２とリタードローラー６３との間に引き込まれた原稿Ｐの分離動作を開始する（ステップＳ１４０）。
【００４８】
次に、コントロールユニット１０は、金属検知部９０の検知結果を取得し、原稿Ｐに金属が付されているか否か、ひいてはステープル処理が施されているか否かを判定する（ステップＳ１６０）。判定の結果、金属が付されている場合（ステップＳ１６０、ＹＥＳ）、処理はステップＳ２６０に遷移する。
【００４９】
一方、金属が付されていない場合（ステップＳ１６０、ＮＯ）、コントロールユニット１０は、跳ね上げ検知部７０の検知結果を取得し、原稿Ｐが跳ね上がっているか否か、ひいてはステープル処理が施されているか否かを判定する（ステップＳ１８０）。判定の結果、原稿Ｐが跳ね上がっている場合（ステップＳ１８０、ＹＥＳ）、処理はステップＳ２６０に遷移する。
【００５０】
一方、原稿Ｐが跳ね上がっていない場合（ステップＳ１８０、ＮＯ）、コントロールユニット１０は、異常音検知部８０の検知結果を取得し、異常音が発生したか否か、ひいてはステープル処理が施されているか否かを判定する（ステップＳ２００）。判定の結果、異常音が発生した場合（ステップＳ２００、ＹＥＳ）、処理はステップＳ２６０に遷移する。
【００５１】
一方、異常音が発生していない場合（ステップＳ２００、ＮＯ）、コントロールユニット１０は、重送検知部１００の検知結果を取得し、原稿Ｐの重送が発生しているか否か、ひいてはステープル処理が施されているか否かを判定する（ステップＳ２２０）。判定の結果、原稿Ｐの重送が発生している場合（ステップＳ２２０、ＹＥＳ）、処理はステップＳ２６０に遷移する。
【００５２】
一方、原稿Ｐの重送が発生していない場合（ステップＳ２２０、ＮＯ）、コントロールユニット１０は、原稿積載台１２０に積載されている全ての原稿Ｐに対する画像読取部３０の画像読取動作は終了したか否かについて判定する（ステップＳ２４０）。判定の結果、画像読取動作が終了していない場合（ステップＳ２４０、ＮＯ）、処理はステップＳ１６０の前に戻る。一方、画像読取動作が終了した場合（ステップＳ２４０、ＹＥＳ）、画像読取装置１は、図１２における処理を終了する。
【００５３】
以上詳しく説明したように、本実施の形態では、画像読取装置１は、原稿積載台１２０に積載される原稿Ｐを原稿搬送路６８に送り出す原稿送出部（分離およびリタードローラー６２，６３）と、原稿送出部により原稿Ｐが送り出される際、当該原稿Ｐの跳ね上げを検知する跳ね上げ検知部７０と、原稿送出部により原稿Ｐが送り出される際、当該原稿Ｐに付されている金属を検知する金属検知部９０と、原稿送出部により原稿Ｐが送り出される際、異常音の発生を検知する異常音検知部８０と、原稿送出部により原稿Ｐが送り出される際、当該原稿Ｐの重送を検知する重送検知部１００と、跳ね上げ検知部７０、金属検知部９０、異常音検知部８０および重送検知部１００の検知結果に基づいて、原稿Ｐにステープル処理が施されているか否かについて判定するステープル判定部（ＣＰＵ１２）とを備える。
【００５４】
このように構成した本実施の形態によれば、原稿Ｐにおいてステープル処理の施されている位置が様々であっても、跳ね上げ検知部７０、金属検知部９０、異常音検知部８０および重送検知部１００の少なくとも１つによって原稿Ｐにステープル処理が施されていることを検知することができる。その結果、ステープル処理の有無を精度良く判定することが可能となり、原稿Ｐにステープル処理が施されていると判定した場合に原稿Ｐの搬送動作を早期に停止させることができる。これにより、ステープル処理が施されている原稿Ｐが原稿搬送路６８を搬送される場合に生じる問題、より具体的には原稿Ｐそのものが破れてしまったり、原稿搬送路６８上に配置されている搬送ローラー対６４〜６６や画像読取部３０の破損につながったりしてしまうという問題の発生を防止することができる。
【００５５】
なお、上記実施の形態では、跳ね上げ検知部７０、金属検知部９０、異常音検知部８０および重送検知部１００の検知結果に基づいて、原稿Ｐにステープル処理が施されているか否かについて判定する例について説明したが、これに限らない。例えば、跳ね上げ検知部７０および金属検知部９０の検知結果に基づいて、原稿Ｐにステープル処理が施されているか否かについて判定しても良い。
【００５６】
図１３，１４は、原稿Ｐにおいてステープル処理が施された各位置Ｓ１〜Ｓ９と、各検知部（跳ね上げ検知部７０および金属検知部９０）によるステープル処理の検知可否との関係を示す図である。図１３は、ステープル処理として、金属製のステープル針を綴じ対象の複数枚の原稿Ｐに打ち込んで、当該ステープル針自体で複数枚の原稿Ｐを綴じる処理が施された場合について示している。図１４は、ステープル処理として、金属製のステープル針を１枚の原稿Ｐに打ち込む処理が施された場合について示している。
【００５７】
図１３，１４において、「◎」は、ステープル処理が施された位置が分離ローラー６２およびリタードローラー６３を通過する前、すなわち早期にステープル処理を検知することが可能なことを示す。また、「×」は、各検知部（跳ね上げ検知部７０および金属検知部９０）によるステープル処理の検知可否に関係なく、原稿Ｐそのものが破れてしまったり、原稿搬送路６８上に配置されている搬送ローラー対６４〜６６や画像読取部３０の破損につながったりしてしまうことを示す。
【００５８】
図１３，１４から明らかなように、原稿Ｐにおいてステープル処理の施されている位置が様々であっても、より少ない検知部によって原稿Ｐに対するステープル処理の有無を精度良く判定することができる。
【００５９】
図１５は、跳ね上げ検知部７０および金属検知部９０を用いた場合における画像読取装置１のステープル判定動作を示すフローチャートである。図１５におけるステップＳ３００の処理は、画像読取装置１の電源がオンにされ、原稿積載台１２０に原稿Ｐが積載されることにより開始する。
【００６０】
まず、コントロールユニット１０は、搬送部６０（給紙ローラー６１）を制御して、原稿積載台１２０に積載されている原稿Ｐの給紙動作を開始する（ステップＳ３００）。次に、コントロールユニット１０は、金属検知部９０の検知結果を取得し、原稿Ｐに金属が付されているか否か、ひいてはステープル処理が施されているか否かを判定する（ステップＳ３２０）。判定の結果、金属が付されている場合（ステップＳ３２０、ＹＥＳ）、コントロールユニット１０は、原稿Ｐの搬送を停止するように搬送部６０を制御する（ステップＳ４２０）。
【００６１】
次に、コントロールユニット１０は、情報表示部２４に対して異常情報、より具体的には原稿Ｐにステープル処理が施されている旨を示す情報を表示させる（ステップＳ４４０）。ステップＳ４４０の処理が完了することによって、画像読取装置１は、図１５における処理を終了する。
【００６２】
ステップＳ３２０の判定に戻り、金属が付されていない場合（ステップＳ３２０、ＮＯ）、コントロールユニット１０は、搬送部６０（分離ローラー６２、リタードローラー６３）を制御して、給紙ローラー６１によって分離ローラー６２とリタードローラー６３との間に引き込まれた原稿Ｐの分離動作を開始する（ステップＳ３４０）。
【００６３】
次に、コントロールユニット１０は、金属検知部９０の検知結果を取得し、原稿Ｐに金属が付されているか否か、ひいてはステープル処理が施されているか否かを判定する（ステップＳ３６０）。判定の結果、金属が付されている場合（ステップＳ３６０、ＹＥＳ）、処理はステップＳ４２０に遷移する。
【００６４】
一方、金属が付されていない場合（ステップＳ３６０、ＮＯ）、コントロールユニット１０は、跳ね上げ検知部７０の検知結果を取得し、原稿Ｐが跳ね上がっているか否か、ひいてはステープル処理が施されているか否かを判定する（ステップＳ３８０）。判定の結果、原稿Ｐが跳ね上がっている場合（ステップＳ３８０、ＹＥＳ）、処理はステップＳ４２０に遷移する。
【００６５】
一方、原稿Ｐが跳ね上がっていない場合（ステップＳ３８０、ＮＯ）、コントロールユニット１０は、原稿積載台１２０に積載されている全ての原稿Ｐに対する画像読取部３０の画像読取動作は終了したか否かについて判定する（ステップＳ４００）。判定の結果、画像読取動作が終了していない場合（ステップＳ４００、ＮＯ）、処理はステップＳ３６０の前に戻る。一方、画像読取動作が終了した場合（ステップＳ４００、ＹＥＳ）、画像読取装置１は、図１５における処理を終了する。
【００６６】
また、跳ね上げ検知部７０、金属検知部９０、異常音検知部８０および重送検知部１００の検知結果に基づいて、原稿Ｐにステープル処理が施されているか否かについて判定するのではなく、跳ね上げ検知部７０、異常音検知部８０および重送検知部１００の検知結果に基づいて、原稿Ｐにステープル処理が施されているか否かについて判定しても良い。
【００６７】
図１６は、原稿Ｐにおいてステープル処理が施された各位置Ｓ１〜Ｓ９と、各検知部（跳ね上げ検知部７０、異常音検知部８０および重送検知部１００）によるステープル処理の検知可否との関係を示す図である。図１６は、ステープル処理として、ステープル針を綴じ対象の複数枚の原稿Ｐに打ち込んで、当該ステープル針自体で複数枚の原稿Ｐを綴じる処理、または、綴じ対象の複数枚の原稿Ｐにステープル針を打ち込むことなく、複数枚の原稿Ｐを圧着して綴じる処理が施された場合について示している。
【００６８】
図１６において、「◎」は、ステープル処理が施された位置が第１搬送ローラー対６４を通過する前にステープル処理を検知することが可能なことを示す。また、「×」は、各検知部（跳ね上げ検知部７０、異常音検知部８０および重送検知部１００）によるステープル処理の検知可否に関係なく、原稿Ｐそのものが破れてしまったり、原稿搬送路６８上に配置されている搬送ローラー対６４〜６６や画像読取部３０の破損につながったりしてしまうことを示す。
【００６９】
図１６から明らかなように、原稿Ｐにおいてステープル処理の施されている位置が様々であっても、原稿Ｐに対するステープル処理の有無を精度良く判定することができる。ただし、原稿Ｐ、搬送ローラー対６４〜６６および画像読取部３０の破損をより確実に防止する観点からは、ステープル処理が施された位置が分離ローラー６２およびリタードローラー６３を通過する前、すなわち早期にステープル処理を検知することが望ましく、跳ね上げ検知部７０、金属検知部９０、異常音検知部８０および重送検知部１００の検知結果に基づいて原稿Ｐにステープル処理が施されているか否かについて判定する方が好ましい。
【００７０】
図１７は、跳ね上げ検知部７０、異常音検知部８０および重送検知部１００を用いて画像読取装置１のステープル判定動作を示すフローチャートである。図１７におけるステップＳ５００の処理は、画像読取装置１の電源がオンにされ、原稿積載台１２０に原稿Ｐが積載されることにより開始する。
【００７１】
まず、コントロールユニット１０は、搬送部６０（給紙ローラー６１）を制御して、原稿積載台１２０に積載されている原稿Ｐの給紙動作を開始する（ステップＳ５００）。次に、コントロールユニット１０は、搬送部６０（分離ローラー６２、リタードローラー６３）を制御して、給紙ローラー６１によって分離ローラー６２とリタードローラー６３との間に引き込まれた原稿Ｐの分離動作を開始する（ステップＳ５２０）。
【００７２】
次に、コントロールユニット１０は、跳ね上げ検知部７０の検知結果を取得し、原稿Ｐが跳ね上がっているか否か、ひいてはステープル処理が施されているか否かを判定する（ステップＳ５４０）。判定の結果、原稿Ｐが跳ね上がっている場合（ステップＳ５４０、ＹＥＳ）、コントロールユニット１０は、原稿Ｐの搬送を停止するように搬送部６０を制御する（ステップＳ６２０）。
【００７３】
次に、コントロールユニット１０は、情報表示部２４に対して異常情報、より具体的には原稿Ｐにステープル処理が施されている旨を示す情報を表示させる（ステップＳ６４０）。ステップＳ６４０の処理が完了することによって、画像読取装置１は、図１７における処理を終了する。
【００７４】
ステップＳ５４０の判定に戻り、原稿Ｐが跳ね上がっていない場合（ステップＳ５４０、ＮＯ）、コントロールユニット１０は、異常音検知部８０の検知結果を取得し、異常音が発生したか否か、ひいてはステープル処理が施されているか否かを判定する（ステップＳ５６０）。判定の結果、異常音が発生した場合（ステップＳ５６０、ＹＥＳ）、処理はステップＳ６２０に遷移する。
【００７５】
一方、異常音が発生していない場合（ステップＳ５６０、ＮＯ）、コントロールユニット１０は、重送検知部１００の検知結果を取得し、原稿Ｐの重送が発生しているか否か、ひいてはステープル処理が施されているか否かを判定する（ステップＳ５８０）。判定の結果、原稿Ｐの重送が発生している場合（ステップＳ５８０、ＹＥＳ）、処理はステップＳ６２０に遷移する。
【００７６】
一方、原稿Ｐの重送が発生していない場合（ステップＳ５８０、ＮＯ）、コントロールユニット１０は、原稿積載台１２０に積載されている全ての原稿Ｐに対する画像読取部３０の画像読取動作は終了したか否かについて判定する（ステップＳ６００）。判定の結果、画像読取動作が終了していない場合（ステップＳ６００、ＮＯ）、処理はステップＳ５４０の前に戻る。一方、画像読取動作が終了した場合（ステップＳ６００、ＹＥＳ）、画像読取装置１は、図１７における処理を終了する。
【００７７】
また、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００７８】
本発明は、ステープル処理の有無を精度良く判定することが可能な画像読取装置、ステープル判定方法およびステープル判定検知プログラムとして有用である。
【符号の説明】
【００７９】
１  画像読取装置
１０  コントロールユニット
１２  ＣＰＵ
１４  ＲＯＭ
１６  ＲＡＭ
２０  操作表示部
２２  操作情報入力部
２４  情報表示部
３０  画像読取部
４０  補助記憶部
５０  ネットワーク接続部
６０  搬送部
６１  給紙ローラー
６２  分離ローラー
６３  リタードローラー
６４  第１搬送ローラー対
６５  第２搬送ローラー対
６６  第３搬送ローラー対
６８  原稿搬送路
７０  跳ね上げ検知部
８０  異常音検知部
９０  金属検知部
１００  重送検知部
１１０  傾き検知部
１２０  原稿積載台
１３０  原稿排出部
Ｐ  原稿
【図１】
0006653471.tif 000002
【図２】
0006653471.tif 000003
【図３】
0006653471.tif 000004
【図４】
0006653471.tif 000005
【図５】
0006653471.tif 000006
【図６】
0006653471.tif 000007
【図７】
0006653471.tif 000008
【図８】
0006653471.tif 000009
【図９】
0006653471.tif 000010
【図１０】
0006653471.tif 000011
【図１１】
0006653471.tif 000012
【図１２】
0006653471.tif 000013
【図１３】
0006653471.tif 000014
【図１４】
0006653471.tif 000015
【図１５】
0006653471.tif 000016
【図１６】
0006653471.tif 000017
【図１７】
0006653471.tif 000018